(57)【特許請求の範囲】
【請求項１】
容器の口部外側に打栓される打栓式の注出口と、この注出口の外周に嵌合する環状側壁とを別体に設け、注出口の外周に周設した係止突条と環状側壁の内周に周設した係合突条とを互いに係合させ、環状側壁に蓋体を連設したツーピースキャップであって、注出口の係止突条の下部にスライド凸部を設け、環状側壁の係合突条の一部にスライド凸部に外嵌するスライド凹部を形成し環状側壁を回転したときに、スライド凸部のスライド面にスライド凹部が摺接して環状側壁が注出口から離脱するように設け、該注出口の側面に把持片を設け、この把持片から注出口の円周に沿って略横方向に切り離す横向弱化ラインと、この把持片から注出口の側面下端部まで切り離す縦向弱化ラインとを設け、該把持片の内側面に容器の口部に当接する突出部を設け、注出口に嵌合した前記環状側壁を離脱したときに、突出部の反発力で把持片が注出口の側面から突出するように設けたことを特徴とする回収用ツーピースキャップ。
【請求項２】
前記環状側壁に弾性反転構造のヒンジを介して蓋体を一体に連設した請求項１記載の回収用ツーピースキャップ。
【発明の詳細な説明】
【０００１】
【発明の属する技術分野】
本発明は打栓式注出口として形成されたツーピースキャップを強固に嵌合し、使用後は、極めて容易に回収できるようにした回収用ツーピースキャップに関するものである。
【０００２】
【従来の技術】
打栓式注出口とは、容器の口部に打栓にて強固に固着された合成樹脂製の注出口を言い、この注出口に開閉自在に設けた蓋体で容器の開閉を行なう。この蓋体には、打栓式注出口の外周に嵌合する環状側壁を設け、この環状側壁に蓋体を連設したキャップ（便宜上、ツーピースキャップと称する）と、打栓式注出口と蓋体とが一体に設けられたキャップ（以下、ワンピースキャップと称する）とがある。
【０００３】
いずれのキャップも合成樹脂材で形成されているので、ガラス容器やペットボトルと分別回収するには、容器の口部に強固に固定された打栓式注出口を口部から取り外す必要がある。
【０００４】
そこで、このような分別回収を目的に開発された分別廃棄可能なキャップとして、特開平１１−２４５９６２  号公報に記載されたキャップがある。このキャップは、容器に嵌合するスカート部に複数の裂け目を形成し、この裂け目を補強するように締付用バンドを嵌合した状態で打設したもので、使用後は、締付用バンドを切り離し、次に複数の裂け目を形成したスカート部を容器から取り外す構造になっている。
【０００５】
また、廃棄時に、外蓋を栓抜きで取り外す構造のキャップが特開平１１−２２２２５３  号公報に記載されている。このキャップは、外蓋のヒンジを破断し蓋体を分離してから、外蓋に栓抜きを係止して外蓋を取り外すと、外蓋と内蓋とが一体になって外れる構造を成している。
【０００６】
【発明が解決しようとする課題】
分別回収を目的に開発されたツーピースのキャップでは、外蓋の嵌合力を高めながら、外蓋と内蓋との取り外しをいかに簡単にできるかが重要な課題であった。一般に、ツーピースキヤップは、シール性を高めるために内蓋を柔軟な材質で形成し、開閉時の耐久性を高めるために外蓋を硬質な材質で形成している。このようなツーピースキャップでは、外蓋を取り外し易く形成すると耐久性に課題が生じ、内蓋を外し易くするとシール性に課題を生じることになる。
【０００７】
従来のツーピースキャップにおいて、前者のキャップは、容器に嵌合するスカート部に複数の裂け目を形成し、この裂け目を補強するように締付用バンドを嵌合した状態で打設している。このキヤップは、ツーピース構造にはなっているがキャップ本体と締付用バンドとが別々の構成を成しているに過ぎない。すなわちこのキャップでは、容器に嵌合する内蓋と、この内蓋を施蓋する外蓋とが一体に形成されているので、内蓋と外蓋との材質を変えることができない構造である。したがって、このキャップは、内蓋と外蓋との材質が異なるツーピースキャップとは基本的に構造が相違し、シール性を高める内蓋と開閉時の耐久性を高める外蓋とを用いたツーピースキャップに、このキャップの構造を採用することはできない。
【０００８】
一方、後者のキャップは、内蓋と外蓋との材質が異なるツーピースキャップにも適応できる構成である。ところが、使用後は、外蓋のヒンジを破断し蓋体を分離してから、栓抜きを用いて外蓋を取り外すことになる。したがって、外蓋の強度を高めると、外蓋のヒンジを破断して蓋体を分離する作業が困難に成らざるを得ない。また、キャップを廃棄する際に、必ず栓抜きを用いることになるので、栓抜きがなければ分別できないといった不都合もあった。
【０００９】
そこで、本発明はツーピースキャップにおいて分別回収を容易に行えるように創出されたもので、外蓋の嵌合力を高めながら、極めて容易に分離回収することが可能となり、しかも、内蓋のシール性と外蓋の耐久性を高めることができる回収用ツーピースキャップの提供を目的とするものである。
【００１０】
【課題を解決するための手段】
本発明の第１の手段は、容器Ｐの口部Ｐ１に打栓される打栓式の注出口１０と、この注出口１０の外周に嵌合する環状側壁２０とを別体に設け、注出口１０の外周に周設した係止突条１１と、環状側壁２０の内周に周設した係合突条２１とを互いに係合させ、環状側壁２０に蓋体３０を連設したツーピースキャップであって、注出口１０の係止突条１１の下部にスライド凸部１２を設け、環状側壁２０の係合突条２１の一部にスライド凸部１１に外嵌するスライド凹部２２を形成し、環状側壁２０を回転したときに、スライド凸部１２のスライド面１２Ａにスライド凹部２２が摺接して環状側壁２０が注出口１０から離脱することにある。本発明によると、注出口１０と環状側壁２０は内蓋と外蓋との関係になり、係止突条１１と係合突条２１とを係合した状態で容器Ｐの口部Ｐ１に打栓される。この状態から環状側壁２０を回転すると、スライド凸部１２に沿って係合状態が解除され、注出口１０から環状側壁２０が離脱するものである。
【００１１】
また、注出口１０の側面に把持片１３を設け、この把持片１３から注出口１０の円周に沿って略横方向に切り離す横向弱化ライン１４と、この把持片１３から注出口１０の側面下端部まで切り離す縦向弱化ライン１５とを設ける。注出口１０の把持片１３を手で摘んで強く引っ張ると、横向弱化ライン１４と縦向弱化ライン１５とに沿って注出口１０の側面が切り離され、容器Ｐの口部Ｐ１から注出口１０が離脱する。
【００１２】
更に、把持片１３の内側面に容器Ｐの口部Ｐ１に当接する突出部１３Ａを設け、注出口１０の外側に嵌合した前記環状側壁２０を離脱したときに、突出部１３Ａの反発力で把持片１３が注出口１０の側面から突出するようにしている。
【００１３】
第２の手段は、環状側壁２０に、弾性反転構造のヒンジ３１を介して蓋体３０を一体に連設したことを課題解消のための手段とする。
【００１４】
【発明の実施の形態】
以下、図面に基いて本発明の実施の形態を説明する。
【００１５】
本発明のツーピースキャップは、容器Ｐの口部Ｐ１に打栓される打栓式の軟質性合成樹脂材の注出口１０と、この注出口の外周に嵌合する硬質性合成樹脂材の環状側壁２０とから成り、この環状側壁２０に蓋体３０を連設したものである  （図１参照）。蓋体３０は、環状側壁２０と一体に形成されるもので、特に、硬質性合成樹脂材の特性を利用した弾性反転構造のヒンジ３１を介して一体に連設している。
【００１６】
注出口１０の外周に係止突条１１を周設し、一方、環状側壁２０の内周に係合突条２１を周設している（図２参照）。そして、これら係止突条１１とスライド凸部１２とを係合させた状態で、容器Ｐの口部Ｐ１に注出口１０と環状側壁２０とが同時に打栓される（図３参照）。
【００１７】
注出口１０の係止突条１１の下部にスライド凸部１２を設け、環状側壁２０の係合突条２１の一部にスライド凸部１１に外嵌するスライド凹部２２を形成している。スライド凸部１２の側面に、斜め上方に傾斜したスライド面１２Ａを設けている（図２参照）。また、スライド凸部１１に外嵌するスライド凹部２２にもスライド面１２Ａに当接するスライド面２２Ａを形成している。そして、環状側壁２０を強制的に回すと（図４（イ）参照）、このスライド凸部１２のスライド面１２Ａに摺接しながら、環状側壁２０が上方へ移動し（同図（ロ）参照）、係合状態にある係止突条１１と係合突条２１とが離脱する（同図（ハ）参照）。この結果、注出口１０から環状側壁２０が取り外される。図示例のスライド凸部１２は、片側にスライド面１２Ａを設けているが、このスライド面１２Ａをスライド凸部１２の両側に設けることで、環状側壁２０をいずれの方向に回しても、注出口１０から取り外すことが可能になる。
【００１８】
注出口１０の側面に把持片１３を設けてある（図２参照）。この把持片１３から横向弱化ライン１４と縦向弱化ライン１５とを延長形成している。図示の横向弱化ライン１４は、把持片１３の上側に形成している。また、縦向弱化ライン１５は、把持片１３の下側から延長している。この状態で把持片１３を摘み、強く引っ張ると、横向弱化ライン１４と縦向弱化ライン１５が次第に切り離され、容器Ｐの口部Ｐ１から注出口１０が離脱するものである（図５参照）。
【００１９】
把持片１３の内側面に突出部１３Ａを設けている（図５（イ）参照）。この突出部１３Ａは、容器Ｐの口部Ｐ１に当接するもので、注出口１０と環状側壁２０とが嵌合しているときは、環状側壁２０の嵌合力で強制的に圧着されているが、環状側壁２０を外した場合は、突出部１３Ａの弾性力で反発し、把持片１３の一部を注出口１０の側面から外側に突出させるものである（図４（ハ）参照）。このように、把持片１３の一部を外側に突出させることで、手で摘み易い把持片１３にすることができる。
【００２０】
本発明ツーピースキャップを回収するには、まず、環状側壁２０を回転させて注出口１０から環状側壁２０を取り外す（図４参照）。次に、注出口１０の把持片１３を摘んで横向弱化ライン１４と縦向弱化ライン１５を序々に切り離し、口部Ｐ１から注出口１０を取り外すものである（図５参照）。
【００２１】
【発明の効果】
本発明ツーピースキャップは上述の如く構成したことにより、当初の目的を達成した。
【００２２】
すなわち、注出口１０の係止突条１１の下部にスライド凸部１２を設け、環状側壁２０の係合突条２１の一部にスライド凸部１１に外嵌するスライド凹部２２を形成し、環状側壁２０を回転したときに、スライド凸部１２のスライド面１２Ａにスライド凹部２２が摺接して環状側壁２０が注出口１０から離脱するようにしたことで、注出口１０と環状側壁２０とが別々の材質で形成されたツーピースキャップにおいて、外蓋の嵌合力を高めながら、極めて容易に分離回収することが可能になった。しかも、内蓋のシール性と外蓋の耐久性を同時に高めることも可能である。
【００２３】
また、注出口１０の側面に把持片１３を設け、この把持片１３から注出口１０の円周に沿って略横方向に切り離す横向弱化ライン１４と、この把持片１３から注出口１０の側面下端部まで切り離す縦向弱化ライン１５とを設けているから、環状側壁２０を外した後の注出口１０の除去も容易に行なえる。
【００２４】
しかも、把持片１３の内側面に容器Ｐの口部Ｐ１に当接する突出部１３Ａを設け、注出口１０の外側に嵌合した前記環状側壁２０を離脱したときに、突出部１３Ａの反発力で把持片１３が注出口１０の側面から突出するので、把持片１３が摘み易くなり、注出口１０の除去作業を誰でも簡単に行なえる。したがって、従来のツーピースキャップのように、栓抜きがなくても簡単に分別除去することが可能になった。
【００２５】
更に、硬質な材質で環状側壁２０と蓋体３０とを形成しているので、弾性反転構造のヒンジ３１を介して蓋体３０を一体に連設することが可能になり、本発明ツーピースキャップの使用を容易ならしめることができる。
【００２６】
このように、本発明によると、ツーピースキャップにおいて分別回収を容易に行うことができ、外蓋の嵌合力を高めながら、極めて容易に分離回収することが可能となり、しかも、内蓋のシール性と外蓋の耐久性を高めることができるなどといった産業上有益な効果を奏するものである。
【図面の簡単な説明】
【図１】本発明ツーピースキャップの装着状態を示す側断面図である。
【図２】本発明ツーピースキャップを上下に離した状態を示す略側面図である。
【図３】本発明ツーピースキャップの組合せ状態を示す略側面図である。
【図４】本発明の環状側壁を注出口から外す状態を示す斜視図である。
【図５】本発明の注出口を切り離す状態を示す斜視図である。
【符号の説明】
Ｐ  容器              Ｐ１  口部
１０  注出口
１１  係止突条
１２  スライド凸部      １２Ａ  スライド面
１３  把持片            １３Ａ  突出部
１４  横向弱化ライン
１５  横向弱化ライン
２０  環状側壁
２１  係合突条
２２  スライド凹部      ２２Ａ  スライド面
３０  蓋体
３１  ヒンジ
【図１】
0003627099.tif 000002
【図２】
0003627099.tif 000003
【図３】
0003627099.tif 000004
【図４】
0003627099.tif 000005
【図５】
0003627099.tif 000006